(57)【要約】【課題】  圧縮機の容量を可変させる構造を簡略化することでサイズを減少させると共に、構成部品を減らすことのできるスクロール圧縮機の容量可変装置を提供すること。【解決手段】  固定スクロール（８０）のラップ（８２）及び旋回スクロール（９０）のラップ（９２）によって形成される圧縮ポケット（Ｐ）のうち、中間圧力状態の圧縮ポケットと圧縮ポケットに冷媒が吸入される吸入側とを連通させるバイパス流路（Ｆ）と、バイパス流路を開閉する開閉手段（１００）と、バイパス流路内に装着され、開閉手段によるバイパス流路の開閉に従って圧縮ポケットの圧力、吸入側の圧力及び弾性によってバイパス流路を開閉させる弾性開閉手段（１１０）と、を備えて成る。【選択図】      図１
2006132520.tif 000002
【特許請求の範囲】
【請求項１】
スクロール圧縮機の容量可変装置であって、
固定スクロール（８０）のラップ（８２）及び旋回スクロール（９０）のラップ（９２）によって形成される圧縮ポケット（Ｐ）のうち、中間圧力状態の圧縮ポケット（Ｐ）と該圧縮ポケット（Ｐ）に冷媒が吸入される吸入側とを連通させるバイパス流路（Ｆ）と、前記バイパス流路（Ｆ）を開閉する開閉手段（１００）と、前記バイパス流路（Ｆ）内に装着され、前記開閉手段（１００）によるバイパス流路（Ｆ）の開閉に従って前記圧縮ポケット（Ｐ）の圧力、吸入側の圧力及び弾性によって前記バイパス流路（Ｆ）を開閉させる弾性開閉手段（１１０）と、を備えて成る、
ことを特徴とするスクロール圧縮機の容量可変装置。
【請求項２】
前記バイパス流路（Ｆ）は、前記固定スクロール（８０）に形成され、前記固定スクロール（８０）の吸入側と該固定スクロール（８０）の上面を連結させる第１の孔（８５）と、前記固定スクロール（８０）に形成され、前記中間圧力状態の圧縮ポケット（Ｐ）と前記固定スクロール（８０）の上面を連結させる第２の孔（８６）と、前記第１の孔（８５）と第２の孔（８６）を連結する連結管（１２０）と、を含むことを特徴とする請求項１に記載のスクロール圧縮機の容量可変装置。
【請求項３】
前記連結管（１２０）に前記開閉手段（１００）が設置されることを特徴とする請求項２に記載のスクロール圧縮機の容量可変装置。
【請求項４】
前記第２の孔（８６）の内部に第２の孔（８６）の内径より大きい内径及び所定長さを有する挿入空間が備えられ、前記挿入空間に前記弾性開閉手段（１１０）が装着されたことを特徴とする請求項２に記載のスクロール圧縮機の容量可変装置。
【請求項５】
前記第２の孔（８６）と挿入空間の連結部分に前記第２の孔（８６）の外周面と垂直面をなす段差面が形成されたことを特徴とする請求項２に記載のスクロール圧縮機の容量可変装置。
【請求項６】
前記弾性開閉手段（１１０）は、前記挿入空間に動き可能に挿入されて前記第２の孔（８６）を開閉する丸棒状のピストンバルブ（１１１）と、前記挿入空間内に挿入されて前記ピストンバルブ（１１１）を弾性支持するスプリング（１１２）と、を含むことを特徴とする請求項１に記載のスクロール圧縮機の容量可変装置。
【請求項７】
前記ピストンバルブ（１１１）の外径は、前記挿入空間の内径より小さく、前記第２の孔（８６）の内径より大きく形成されたことを特徴とする請求項６に記載のスクロール圧縮機の容量可変装置。
【請求項８】
前記固定スクロール（８０）のラップ（８２）及び旋回スクロール（９０）のラップ（９２）によって形成される圧縮ポケット（Ｐ）へガスが吸入される吸入口（８４）が前記固定スクロール（８０）に形成され、前記固定スクロール（８０）の吸入口（８４）に外部の冷媒が吸入される吸入管（１２）が結合されることを特徴とする請求項１に記載のスクロール圧縮機の容量可変装置。
【請求項９】
前記固定スクロール（８０）のラップ（８２）及び旋回スクロール（９０）のラップ（９２）によって形成される圧縮ポケット（Ｐ）間のシーリングは、旋回スクロール（９０）の背面に作用する吐出ガスの圧力によって行われることを特徴とする請求項１に記載のスクロール圧縮機の容量可変装置。
【請求項１０】
固定スクロール（８０）のラップ（８２）及び旋回スクロール（９０）のラップ（９２）によって形成される圧縮ポケット（Ｐ）と前記圧縮ポケット（Ｐ）に冷媒が吸入される吸入側とを連通させるバイパス流路（Ｆ）と、前記バイパス流路（Ｆ）を開閉する開閉手段（１００）と、を含むことを特徴とするスクロール圧縮機の容量可変装置。
【請求項１１】
前記バイパス流路（Ｆ）は、前記固定スクロール（８０）に形成され、前記固定スクロール（８０）の吸入側と前記固定スクロール（８０）の上面を連結する第１の孔（８５）と、前記固定スクロール（８０）に形成され、中間圧力状態の圧縮ポケット（Ｐ）と前記固定スクロール（８０）の上面を連結する第２の孔（８６）と、前記第１の孔（８５）と第２の孔（８６）を連結する連結管（１２０）と、を含むことを特徴とする請求項１０に記載のスクロール圧縮機の容量可変装置。
【請求項１２】
前記連結管（１２０）に前記開閉手段（１００）が装着されることを特徴とする請求項１１に記載のスクロール圧縮機の容量可変装置。
【請求項１３】
前記バイパス流路（Ｆ）は、前記固定スクロール（８０）内に形成される１つの連通孔であることを特徴とする請求項１０に記載のスクロール圧縮機の容量可変装置。
【発明の詳細な説明】
【技術分野】
【０００１】
本発明は、スクロール圧縮機に関し、特に、圧縮機容量の可変構造を簡略化することでサイズを減少させると共に、構成部品を減したスクロール圧縮機の容量可変装置に関する。
【背景技術】
【０００２】
一般的に、圧縮機は、電気エネルギーを運動エネルギーに変換させ、該運動エネルギーにより冷媒ガスを圧縮する。圧縮機は、冷凍サイクルシステムを構成する核心要素で、冷媒を圧縮する圧縮メカニズムによって回転式圧縮機(rotary compressor)、スクロール圧縮機(scroll compressor)、往復動式圧縮機(reciprocal compressor)などの多様な種類がある。このような圧縮機は、冷蔵庫、エアコン、ショーケースなどに適用される。
【０００３】
図４は、スクロール圧縮機の圧縮機構部を示す断面図で、図５は、図４の圧縮機構部を構成する固定スクロールのラップ及び旋回スクロールのラップを示す平面図である。
【０００４】
図示されたように、前記スクロール圧縮機の圧縮機構部は、密閉容器１０と、密閉容器１０内に装着される上部フレーム２０と、上部フレーム２０と所定間隔を置いて密閉容器１０内に装着される固定スクロール３０と、固定スクロール３０と旋回運動可能に噛み合って固定スクロール３０と上部フレーム２０間に位置する旋回スクロール４０と、旋回スクロール４０と上部フレーム２０間に位置して旋回スクロール４０の自転を防止するオルダムリング５０と、固定スクロール３０及び密閉容器１０に結合されて該密閉容器１０の内部を高圧領域と低圧領域に分離する高低圧分離板１１と、固定スクロール３０の上面に装着されて該固定スクロール３０に形成された吐出孔３１を開閉する吐出バルブ組立体６０と、から構成される。
【０００５】
また、旋回スクロール４０は、上部フレーム２０に挿入される回転軸７０の偏心部７１と連結される。
【０００６】
また、前記低圧領域に位置する密閉容器１０の一側にガスが吸入される吸入管１２が結合され、前記高圧領域に位置する密閉容器１０の一側にガスが吐出される吐出管１３が結合される。
【０００７】
符号３２は、インボリュート曲線形状に突出形成された固定スクロール３０のラップで、符号４１は、インボリュート曲線形状に突出形成された旋回スクロール４０のラップで、符号Ｂは、ブッシュで、符号Ｓは、シーリング部材である。
【０００８】
以下、前述したようなスクロール圧縮機の圧縮機構部の動作を説明する。
まず、電動機構部の回転力が伝達されて回転軸７０が回転すると、該回転軸の偏心部７１に結合された旋回スクロール４０が回転軸７０の軸中心を基準に旋回運動する。旋回スクロール４０は、オルダムリング５０により自転が防止されながら 旋回運動する。
【０００９】
旋回スクロール４０の旋回運動によって、旋回スクロール４０のラップ４１が固定スクロール３０のラップ３２と噛み合って旋回運動しながら、旋回スクロール４０のラップ４１と固定スクロール３０のラップ３２によって形成される複数の圧縮ポケットＰが固定スクロール３０と旋回スクロール４０の中心部に移動すると同時に体積が変化しながらガスを吸入及び圧縮して固定スクロール３０の吐出孔３１を通して吐出させる。
【００１０】
固定スクロール３０の吐出孔３１を通して吐出された高温高圧のガスは、高圧領域を経て吐出管１３を通して密閉容器１０の外部に吐出される。
【００１１】
一方、前述したようなスクロール圧縮機は、一般的に冷凍サイクルシステムを構成して主にエアコンに装着される。エアコンの運転時、消耗電力を最小化するために、エアコンに装着された冷凍サイクルシステムを運転させるスクロール圧縮機の容量を可変させることが要求される。
【００１２】
図６は、従来技術によるスクロール圧縮機の容量可変装置の一実施形態を備えたスクロール圧縮機の圧縮機構部を示す断面図である。図４及び図５と同一部分に対しては同一符号を付与した。
【００１３】
以下、図６を参照して、従来技術によるスクロール圧縮機の容量可変装置を説明する。
固定スクロールのラップ３２及び旋回スクロールのラップ４１によって形成される圧縮ポケットＰのうち固定スクロール３０の中間部分に位置する中間圧力状態の中間圧圧縮ポケットＰと圧縮ポケットＰに冷媒が吸入される吸入側とを連結するバイパス通路Ｋが固定スクロール３０に形成される。バイパス通路Ｋは、固定スクロール３０の水平方向に形成された水平孔３３と、固定スクロール３０の垂直方向に形成されて水平孔３３と連通される垂直孔３４と、水平孔３３と垂直孔３４との連結部分に固定スクロール３０の上面と連通するように形成される連結孔３５と、からなる。高低圧分離板１１に連結孔３５と高圧室が連通される貫通孔が形成される。
【００１４】
また、吸入管１２と吐出管１３を連通させる第１の連結管１４が吸入管１２と吐出管１３間に連結され、第１の連結管１４とバイパス通路Ｋを連通させる第２の連結管１５が第１の連結管１４とバイパス通路Ｋ間に連結される。第２の連結管１５の一側は、バイパス通路Ｋの連結孔３５側に結合される。
【００１５】
また、第１の連結管１４と第２の連結管１５との連結部分に、第１及び第２の連結管１４、１５に流れる冷媒の流動方向を調節するコントロールバルブ(selecting valve)１６が備えられ、バイパス通路Ｋの連結孔３５に冷媒の流れを制御するバイパスバルブ１７が備えられる。
【００１６】
以下、前述したようなスクロール圧縮機の容量可変装置の動作を説明する。
まず、スクロール圧縮機が１００％容量で運転される場合、コントロールバルブ１６を調節して第２の連結管１５と吐出管１３を連通させる。このような状態で、スクロール圧縮機が運転すると、吐出管１３と第２の連結管１５が連通されているため、吐出管１３に吐出される高圧状態の冷媒によって、連結孔３５内に位置するバイパスバルブ１７が圧力を受けて連結孔３５の下側に移動するので、水平孔３３及び垂直孔３４が塞がり、よって、冷媒が圧縮ポケットＰに吸入される吸入側と中間圧力状態にある圧縮ポケットＰ間を連通させるバイパス通路Ｋが塞がるようになる。
【００１７】
このような状態で、旋回スクロール４０の旋回運動によって旋回スクロールのラップ４１と固定スクロールのラップ３２によって固定スクロール３０の縁部から形成される複数の圧縮ポケットＰが次第に固定スクロール３０の中心に移動すると同時に体積が減少されながら、冷媒を圧縮するようになる。このような圧縮ポケットＰは、連続的に形成される。
【００１８】
前記スクロール圧縮機が可変容量で運転する場合、コントロールバルブ１６の位置を移動させて第２の連結管１５と吸入管１２を連通させる。このような状態でスクロール圧縮機が運転すると、吸入管１２と第２の連結管１５が連通されているため、バイパスバルブ１７に作用する中間圧力状態の圧縮ポケットＰの圧力によってバイパスバルブ１７が連結孔３５の上側に移動するようになり、よって、バイパス通路Ｋがオープンされる。バイパス通路Ｋがオープンされることにより、冷媒が圧縮ポケットＰに吸入される吸入側と固定スクロール３０の中間位置に位置する圧縮ポケットＰの圧力が同様な状態になる。これによって、固定スクロール３０の中間位置に位置する圧縮ポケットＰが固定スクロール３０の中心に移動すると同時に体積が減少されながら圧縮されるため、固定スクロールの吐出孔３１を通して吐出される冷媒の圧力は、相対的に低くなる。
【００１９】
しかしながら、前述したような従来技術によるスクロール圧縮機の容量可変装置は、吸入管１２と吐出管１３が第１の連結管１４によって連結され、第１の連結管１４が第２の連結管１５によって連結されているので、スクロール圧縮機の全体的な構造が複雑で、サイズが大きくなり、よって、エアコン内への設置空間が大きくなると共に、設置位置が自由でないという問題点があった。
【発明の開示】
【発明が解決しようとする課題】
【００２０】
本発明は、前述したような従来技術の問題点を解決するために提案され、本発明の目的は、圧縮機の容量を可変させる構造を簡略化することでサイズを減少させると共に、構成部品を減らすことのできるスクロール圧縮機の容量可変装置を提供することにある。
【００２１】
また、本発明の他の目的は、容量可変運転時、損失を最小化し得るスクロール圧縮機の容量可変装置を提供することにある。
【課題を解決するための手段】
【００２２】
このような目的を達成するために、本発明によるスクロール圧縮機の容量可変装置は、固定スクロールのラップ及び旋回スクロールのラップによって形成される圧縮ポケットのうち、中間圧力状態の圧縮ポケットと該圧縮ポケットに冷媒が吸入される吸入側とを連通させるバイパス流路と、前記バイパス流路を開閉する開閉手段と、前記バイパス流路内に装着され、前記開閉手段によるバイパス流路の開閉に従って前記圧縮ポケットの圧力、吸入側の圧力及び弾性によって前記バイパス流路Ｆを開閉させる弾性開閉手段と、から構成されることを特徴とする。
【００２３】
また、このような目的を達成するために、本発明によるスクロール圧縮機の容量可変装置は、固定スクロールのラップ及び旋回スクロールのラップによって形成される圧縮ポケットと前記圧縮ポケットに冷媒が吸入される吸入側を連通させるバイパス流路と、前記バイパス流路を開閉する開閉手段と、を含んで構成されることを特徴とする。
【発明の効果】
【００２４】
本発明のスクロール圧縮機の容量可変装置は、開閉手段、バイパス流路及び弾性開閉手段から構成されてその構成部品の数が減少し、さらに、該構成部品が密閉容器内に位置するので、全体的なサイズが減少する。従って、エアコンに装着する時、設置空間が減少され、設置位置が自由になる。合わせて、製造原価が減少する共に、製造が容易になるという効果がある。
【００２５】
また、本発明が適用されるスクロール圧縮機の種類に応じて、バイパス流路を構成する第２の孔のサイズを大きくすることで、冷媒の流動抵抗を減少させるので、損失を最小化することができるという効果がある。
【発明を実施するための最良の形態】
【００２６】
以下、本発明によるスクロール圧縮機の容量可変装置を図面に基づいて詳細に説明する。
図１は、本発明によるスクロール圧縮機の容量可変装置の一実施形態を備えたスクロール圧縮機の圧縮機構部を示す断面図である。
図１を参照すると、スクロール圧縮機の圧縮機構部は、所定形状を有する密閉容器１０と、密閉容器１０内に装着される上部フレーム２０と、上部フレーム２０と所定間隔を置いて密閉容器１０内に装着される固定スクロール８０と、固定スクロール８０と旋回運動可能に噛み合って固定スクロール８０と上部フレーム２０間に位置する旋回スクロール９０と、を含む。
【００２７】
固定スクロール８０は、所定形状に形成されたボディー部８１と、ボディー部８１の一面に形成され、所定厚さ及び高さを有するインボールリュート曲線形状のラップ８２と、ボディー部８１の中央に形成される吐出孔８３と、ボディー部８１の一側に形成される吸入口８４と、を含む。
【００２８】
旋回スクロール９０は、所定厚さ及び面積を有する円板部９１と、円板部９１の一面に形成され、所定厚さ及び高さを有するインボールリュート曲線形状のラップ９２と、円板部９１の他面に形成されるボス部９３と、を含む。
さらに、旋回スクロール９０のラップ９２が固定スクロール８０のラップ８２と噛み合って上部フレーム２０と固定スクロール８０間に挿入され、旋回スクロール９０が旋回運動すると、該旋回スクロールのラップ９２及び固定スクロールのラップ８２によって複数の圧縮ポケットＰが連続的に形成される。このとき、固定スクロール８０の縁部に位置する圧縮ポケットＰは、低圧の吸入圧状態で、固定スクロール８０の中央に位置する圧縮ポケットＰは、高圧の吐出圧状態で、固定スクロール８０の縁部と中央との間に位置する圧縮ポケットＰは、中間圧状態である。旋回スクロール９０は、上部フレーム２０の上面に支持される。
【００２９】
旋回スクロール９０と上部フレーム２０間に旋回スクロール９０の自転を防止するオルダムリング５０が結合され、固定スクロール８０の上面に該固定スクロール８０の吐出孔８３を開閉する吐出バルブ組立体６０が備えられる。
また、旋回スクロールのボス部９３は、上部フレーム２０に挿入される回転軸７０の偏心部７１と連結される。
【００３０】
密閉容器１０にガスが吸入される吸入管１２が貫通結合され、該貫通された吸入管１２は、固定スクロール８０の吸入口８４に結合される。さらに、密閉容器１０にガスが吐出される吐出管１３が結合される。
【００３１】
また、固定スクロール８０側に容量可変装置が備えられる。
スクロール圧縮機の容量可変装置の第１実施形態は、固定スクロールのラップ８２及び旋回スクロールのラップ９２によって形成される圧縮ポケットＰのうち、中間圧力状態の圧縮ポケットＰと該圧縮ポケットＰに冷媒が吸入される吸入側とを連通させるバイパス流路Ｆと、バイパス流路Ｆを開閉する開閉手段１００と、バイパス流路Ｆ内に装着されて開閉手段１００によるバイパス流路Ｆの開閉に従って圧縮ポケットＰの圧力、吸入側の圧力及び自体弾性によってバイパス流路Ｆを開閉させる弾性開閉手段１１０と、から構成される。
【００３２】
バイパス流路Ｆは、固定スクロール８０のボディー部８１に形成され、固定スクロール８０の吸入側と固定スクロール８０の上面を連結させる第１の孔８５と、固定スクロール８０のボディー部８１に形成され、前記中間圧力状態の圧縮ポケットＰと固定スクロール８０の上面を連通させる第２の孔８６と、固定スクロール８０の上面に位置して第１の孔８５と第２の孔８６を連結する連結管１２０と、を含む。第１の孔８５と第２の孔８６は、垂直方向に形成される。
【００３３】
開閉手段１００は、連結管１２０に設置され、連結管１２０を開閉する開閉バルブであることが望ましい。
連結管１２０は、折曲された形態に形成され、両端部にフランジ部１２１がそれぞれ備えられる。固定スクロール８０の上面にフランジ部１２１と相応する形状及び所定深さを有する結合溝８７が形成される。結合溝８７は、第１の孔８５及び第２の孔８６の縁部にそれぞれ形成される。
また、連結管１２０のフランジ部１２１が結合溝８７に挿入され、フランジ部１２１にねじ(図示せず)がそれぞれ締結される。フランジ部１２１と結合溝８７の底面間にパッキング１２２が挿入されることが望ましい。
【００３４】
第２の孔８６の内部に第２の孔８６の内径より大きい内径及び所定長さを有するように形成され、弾性開閉手段１００が装着される挿入空間８８が備えられる。第２の孔８６と挿入空間８８の連結部分が第２の孔８６の外周面と垂直面をなすように段差面８９が平面状に形成される。
【００３５】
弾性開閉手段１１０は、第２の孔８６の挿入空間８８に動き可能に挿入され、第２の孔８６を開閉する丸棒形態のピストンバルブ１１１と、挿入空間８８内に挿入されてピストンバルブ１１１を弾性支持するスプリング１１２と、から構成される。ピストンバルブ１１１の外径は、挿入空間８８の内径より小さく、第２の孔８６の内径より大きく形成される。
ピストンバルブ１１１が挿入空間８８内に挿入され、ピストンバルブ１１１の上にスプリング１１２が挿入される。また、スプリング１１２は、別途の部材によって支持される。
【００３６】
また、本発明のスクロール圧縮機の容量可変装置の第２実施形態は、図２に示すように、固定スクロールのラップ８２及び旋回スクロールのラップ９２によって形成される中間圧力状態の圧縮ポケットＰと該圧縮ポケットＰに冷媒が吸入される吸入側とを連通させるバイパス流路Ｆと、バイパス流路Ｆを開閉する開閉手段１００と、から構成される。
【００３７】
バイパス流路Ｆは、固定スクロール８０に形成され、固定スクロール８０の吸入側と固定スクロール８０の上面を連結させる第１の孔８５と、固定スクロール８０に形成され、中間圧力状態の圧縮ポケットＰと固定スクロール８０の上面を連結させる第２の孔８６と、第１の孔８５と第２の孔８６を連結する連結管１２０と、から構成される。
【００３８】
開閉手段１００は、連結管１２０に装着され、連結管１２０を開閉させる開閉バルブでることが望ましい。
一方、バイパス流路Ｆの他の実施形態として、固定スクロール８０のボディー部８１に圧縮ポケットＰと吸入口を連結する１つの連通孔が形成されて構成されることができる。
【００３９】
以下、本発明のスクロール圧縮機の容量可変装置の作用効果を説明する。
まず、前記スクロール圧縮機の圧縮機構部の動作を説明する。
電動機構部の回転力が回転軸７０を通して旋回スクロール９０に伝達されると、旋回スクロール９０が固定スクロール８０と噛み合って回転軸７０の中心を基準に旋回運動する。旋回スクロール９０は、オルダムリング５０により自転が防止されながら旋回運動する。
【００４０】
旋回スクロール９０が旋回運動することによって、旋回スクロール９０のラップ９２が固定スクロールのラップ８２と噛み合って旋回運動しながら、旋回スクロールのラップ９２及び固定スクロールのラップ８２によって形成される複数の圧縮ポケットＰが固定スクロール８０の中心部に移動すると同時に、体積が変化されながらガスを吸入及び圧縮して固定スクロールの吐出孔３１を通して吐出させる。このとき、吸入管１２を通して吸入される冷媒は、固定スクロールの吸入口８４を通して直ちに圧縮ポケットＰに流入される。圧縮ポケットＰは、旋回スクロール９０が旋回運動することによって持続的に形成される。
【００４１】
圧縮ポケットＰが固定スクロール８０の縁部に位置する場合、圧縮ポケットＰの圧力は低圧の吸入圧状態になり、圧縮ポケットＰの体積が減少されながら移動して固定スクロール８０の中央に位置する場合、圧縮ポケットＰの圧力は高圧の吐出圧状態になり、圧縮ポケットＰが固定スクロール８０の中間と縁部との間に位置する場合、圧縮ポケットＰの圧力は中間圧力状態になる。
【００４２】
固定スクロールの吐出孔８３を通して吐出される高温高圧状態の冷媒は、密閉容器を経て吐出管１３を通して外部に吐出される。密閉容器１０の内部は、常に高圧状態に維持され、密閉容器１０の内部の高圧によって旋回スクロール９０の円板部９１の背面に高圧が作用することで、旋回スクロールのラップ９２及び固定スクロールのラップ８２によって形成される圧縮ポケットＰ間の圧力漏洩が防止される。
【００４３】
一方、前記過程で、スクロール圧縮機が１００％容量で運転する場合(スクロール圧縮機の容量可変装置の第１実施形態の場合)、図１に示すように、開閉手段１００によってバイパス流路Ｆが塞がる。即ち、開閉手段１００によってバイパス流路Ｆを構成する連結管１２０が塞がるようになる。このような状態で運転すると、スプリングがピストンバルブ１１１を弾性支持するので、ピストンバルブ１１１がバイパス流路Ｆの第２の孔８６を塞ぐようになり、これによって、固定スクロール８０の縁部に位置する圧縮ポケットＰが固定スクロール８０の中心に移動しながら圧縮ポケットＰに吸入された冷媒を高温高圧状態に圧縮するようになる。
【００４４】
一方、前記スクロール圧縮機が可変容量で運転する場合、図３に示すように、開閉手段１００を操作してバイパス流路Ｆを開く。このような状態で運転すると、中間圧力状態の圧縮ポケットＰの圧力が吸入口８４側の圧力より高くなるので、その圧力差により前記弾性開閉手段のスプリング１１２が収縮されながらピストンバルブが第２の孔８６を開けて中間圧力状態の圧縮ポケットＰと吸入口８４側が連通され、中間圧力状態の圧縮ポケットＰが低圧の吸入圧状態になる。このような固定スクロール８０の中間と縁部との間に位置する圧縮ポケットＰの圧力が低圧の吸入圧状態になり、圧縮ポケットＰが固定スクロール８０の中心に移動しながら冷媒を圧縮して吐出孔８３を通して吐出するので、吐出孔８３を通して吐出される圧力が小さくなるだけでなく、容量も小さくなる。
【００４５】
また、本発明のスクロール圧縮機の容量可変装置の第２実施形態の場合、開閉手段１００を利用して吸入側と中間圧力状態の圧縮ポケットＰを連結するバイパス流路Ｆを開閉する。これによって、スクロール圧縮機の容量を可変させるようになる。
【００４６】
また、本発明のスクロール圧縮機の容量可変装置は、上述したように、密閉容器が高圧状態に維持され、該高圧により圧縮ポケットＰ間にシーリングが行われる場合、旋回スクロール９０のラップ９２及び固定スクロール８０のラップ８２の端に別途のシーリング部材を挿入しないので、バイパス流路Ｆを構成する第２の孔８６の大きさを相対的に大きくすることができ、よって、第２の孔８６に流動する冷媒の流動抵抗を減少させることができる。
【図面の簡単な説明】
【００４７】
【図１】本発明のスクロール圧縮機の容量可変装置の第１実施形態によるスクロール圧縮機の圧縮機構部を示す断面図である。
【図２】本発明のスクロール圧縮機の容量可変装置の第２実施形態を示す断面図である。
【図３】本発明のスクロール圧縮機の容量可変装置の作動状態を示す断面図である。
【図４】一般的なスクロール圧縮機の圧縮機構部を示す断面図である。
【図５】図４のスクロール圧縮機の圧縮機構部を構成する固定スクロールラップ及び旋回スクロールラップを示す平面図である。
【図６】従来技術によるスクロール圧縮機の容量可変装置を備えたスクロール圧縮機の圧縮機構部を示す断面図である。
【符号の説明】
【００４８】
１２    吸入管
８０    固定スクロール
８２    固定スクロールのラップ
８４    吸入口
８５    第１の孔
８６    第２の孔
９０    旋回スクロール
９２    旋回スクロールのラップ
１００    開閉手段
１１０    弾性開閉手段
１１１    ピストンバルブ
１１２    スプリング
１２０    連結管
Ｆ    バイパス流路
Ｐ    圧縮ポケット
【図１】
2006132520.tif 000003
【図２】
2006132520.tif 000004
【図３】
2006132520.tif 000005
【図４】
2006132520.tif 000006
【図５】
2006132520.tif 000007
【図６】
2006132520.tif 000008